【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
磁気共鳴画像に用いられる装置において、
基部材と、
前記基部材に通された第１アンテナループ部と、
前記基部材に通された第２アンテナループ部と
を備え、
前記第１及び第２アンテナループ部は、前記基部材に対して独立して調整され得て、前
記基部材は、前記第１アンテナループ部が患者の前面に隣接し、前記第２アンテナループ
部が前記患者の後面に隣接するように、患者の体に対して配向される
ことを特徴とする装置。
【請求項２】
前記前面と後面は、それぞれ、前記患者の頭部の前面と後面であることを特徴とする請
求項１に記載の装置。
【請求項３】
前記前面と後面は、それぞれ、前記患者の胴部の前後面の一部であることを特徴とする
請求項１に記載の装置。
【請求項４】
前記前面と後面は、それぞれ、前記患者の四肢の前後面の一部であることを特徴とする
請求項１に記載の装置。
【請求項５】
磁気共鳴画像装置用の備品において、
基板と、
前記基板に旋回可能に取り付けられた基部材を有し、第１ループと第２ループを形成す
る１対のコイル巻線を備えるアンテナ部分であって、前記第１ループと前記第２ループは
、前記基部材が前記基板を中心として旋回する間、前記ループが実質的に平行な面に維持
され得るように、前記基部材に通されているようなアンテナ部分と
を備えることを特徴とする備品。
【請求項６】
前記基部材は、１対のサドル状部材とドーナッツ状端を有するアームとによって、前記
基板に旋回可能に取り付けられ、前記アームの前記ドーナッツ状端は、前記サドル状部材
間に旋回可能に取り付けられることを特徴とする請求項５に記載の備品。
【請求項７】
前記基板は、前記基板の底面に取り付けられた１対の制御ラッチをさらに備えることを
特徴とする請求項５に記載の備品。
【請求項８】
前記少なくとも１つのコイルが通される少なくとも１つの筐体をさらに備えることを特
徴とする請求項５に記載の備品。
【請求項９】
前記少なくとも１つのコイル巻線は、各々がループを形成する２つのコイル巻線を含み
、前記ループの各々が通る基部材をさらに備え、前記基部材は、前記ループの各々を互い
に平行な面に吊るすことを特徴とする請求項５に記載の備品。
【請求項１０】
磁気共鳴画像用のシステムにおいて、
患者受入れ空間を画成する対向要素を備える構造と、支持台位置の範囲内において前記
構造に対して移動可能な患者支持台とを有する磁気共鳴画像装置と、
取付け装置と、
前記磁気共鳴装置と関連して用いられ得る備品と
を備え、
前記取付け装置は、前記備品を前記患者支持台に固定するように、及び前記患者支持台
に対する前記備品の位置を備品位置の範囲にわたって滑動可能に調整できるように操作可
能であり、前記備品は、基板と、前記基板に旋回可能に取り付けられた基部材を有し、か
つ前記基部材に通されたループの形態にある少なくとも１つのコイルアンテナを備えるア
ンテナ組立体とを備える
ことを特徴とする備品。
【請求項１１】
前記基部材は、１対のサドル状部材とドーナッツ状端を有するアームとによって、前記
基板に旋回可能に取り付けられ、前記アームの前記ドーナッツ状端は、前記サドル状部材
間に旋回可能に取り付けられることを特徴とする請求項１０に記載のシステム。
【請求項１２】
前記基板は、前記基板の底面に取り付けられた１対の制御ラッチをさらに備え、前記制
御ラッチは、前記基板が前記取付け装置に係合されたとき、前記備品を適切な位置に保持
するように機能することを特徴とする請求項１０に記載のシステム。
【請求項１３】
前記取付け装置は、軌道方向を画成し、前記軌道方向が前記患者支持台の長手方向を実
質的に横切るように、前記患者支持台と係合するように構成されることを特徴とする請求
項１０に記載のシステム。
【請求項１４】
前記取付けユニットを前記軌道方向に沿った所定箇所に保持するために配置された移動
止めをさらに備えることを特徴とする請求項１３に記載のシステム。
【請求項１５】
磁気共鳴画像用のシステムにおいて、
患者受入れ空間を画成する対向要素を備える構造と、実質的に水平に延在する磁石軸線
と、前記患者受入れ空間内に配置されて、患者を実質的に直立した位置に支持することが
できる患者支持台とを有する磁気共鳴画像装置と、
前記患者支持台の長手方向を実質的に横切る方向において前記患者支持台から突出する
ように、前記患者支持台に取り付けられた支持アームであって、前記支持アームは、取付
けユニットに滑動可能に取り付けられ、前記取付けユニットは、前記患者支持台と係合す
るように構成されるような支持アームと
を備えることを特徴とするシステム。
【請求項１６】
前記支持アームは、基部材と、前記基部材の表面から突出する少なくとも１つの支持部
材と、前記少なくとも１つの支持部材に取り付けられたアームとをさらに備え、前記アー
ムは、前記磁石軸線の方向を実質的に横切る方向において、回転可能であることを特徴と
する請求項１５に記載のシステム。
【請求項１７】
前記アームの遠位端に取り付けられた少なくとも１つの支持アームと、前記少なくとも
１つの支持アームの遠位端の開口に通されたループアンテナコイルとをさらに備えること
を特徴とする請求項１６に記載のシステム。
【請求項１８】
前記アームの遠位端に取り付けられた支持部材をさらに備え、前記支持部材は、ループ
コイルアンテナが通される少なくとも１つのフィンガー部材を備えることを特徴とする請
求項１６に記載のシステム。
【請求項１９】
前記アームの遠位端に回転可能に取り付けられた支持アームをさらに備え、前記支持ア
ームは、ループアンテナが通るアンテナ支持アームが取り付けられた遠位端を有すること
を特徴とする請求項１６に記載のシステム。
【請求項２０】
前記支持アームは、基部材と、前記基部材の表面から突出する少なくとも１つの支持部
材と、前記少なくとも１つの支持部材に取り付けられた回転可能なアームとをさらに備え
ることを特徴とする請求項１５に記載のシステム。
【請求項２１】
前記支持アームは、一体構造であり、前記患者支持台に係合されるように構成される基
部材を備えることを特徴とする請求項１５に記載のシステム。
【請求項２２】
磁気共鳴画像装置を操作するための方法において、
取付けユニットを用いて、備品を磁気共鳴装置の患者支持台に位置決めする段階であっ
て、前記備品は、基板と、前記基板に旋回可能に取り付けられた基部材と第１ループと第
２ループを形成する１対のコイル巻線とを有するアンテナ部分とを備え、前記第１及び第
２ループは、前記基部材が前記基板を中心に旋回する間、実質的に平行の面に維持され得
るように、前記基部材に通されるような段階と、
前記備品が前記患者に関連した該当する解剖学的領域を跨るように、患者を前記患者支
持台に位置決めする段階と
を含むことを特徴とする方法。
【請求項２３】
前記患者支持台を、間隙を画成する１対の磁石要素間の支持台位置の範囲内において、
移動させる段階をさらに含むことを特徴とする請求項２２に記載の方法。
【請求項２４】
前記備品を位置決めする前記段階は、前記備品の位置決め要素を前記患者支持台の相手
側要素と係合させる段階を含むことを特徴とする請求項２２に記載の方法。
【請求項２５】
前記該当する解剖学的領域は、前記患者の肩であることを特徴とする請求項２２に記載
の方法。